(57)【要約】【課題】  本願は、隣り合うハゼ嵌合折板のハゼ部同士がハゼ締めされている部分を外すときに用いられるハゼ外し具に関するものである。確実かつ容易にハゼ締めを外すことができるハゼ外し具を提供することを目的とする。【解決手段】  本願は、ハゼ嵌合折板のハゼ外し具である。このハゼ嵌合折板は、少なくとも１以上の谷部と左右の斜面とを有し、斜面には内側方向に略くの字形に突出した嵌合部が形成され、左右両端の斜面の上端は各々外側方向に略水平に延出して水平状部が形成され、水平状部の端部はそれぞれ上方に延出してハゼ部が形成されている。そして、隣り合うハゼ嵌合折板のハゼ部同士がハゼ締めされる構造になっている。ハゼ外し具は、把持部と、把持部に回動軸によって組み合わされた外嵌部と、外嵌部よりも上の位置で把持部に組み合わされた爪部を有する。【選択図】  図１
2019011653.tif 000002
【特許請求の範囲】
【請求項１】
ハゼ嵌合折板のハゼ外し具であって、
ハゼ嵌合折板は、
少なくとも１以上の谷部と左右の斜面とを有し、
斜面には内側方向に略くの字形に突出した嵌合部が形成され、
左右両端の斜面の上端は各々外側方向に略水平に延出して水平状部が形成され、
水平状部の端部はそれぞれ上方に延出してハゼ部が形成されており、
隣り合うハゼ嵌合折板のハゼ部同士がハゼ締めされる構造になっており、
ハゼ外し具は、
把持部と、
把持部に回動軸で組み合わされた外嵌部と、
外嵌部よりも上の位置で把持部に組み合わされた爪部を有し、
外嵌部が、
左右一方の嵌合部から水平状部にかけて外嵌され、
爪部が、
ハゼ部に係合され、
把持部が、
回動軸を中心に回動される
ハゼ外し具。
【発明の詳細な説明】
【技術分野】
【０００１】
本願は、隣り合うハゼ嵌合折板同士がハゼ締めされている部分を外すときに用いられるハゼ外し具に関するものである。確実かつ容易にハゼ締めを外すことができるハゼ外し具を提供することを目的とする。
【背景技術】
【０００２】
従来技術について、図４で説明する。
【０００３】
図４は、特開昭６０−１４４４４９号公報にて公開されている金属製折版屋根の馳締部の解体方法に関する技術である。図４に示した先行技術には、外側馳締部片の端縁に係合するフック部と、このフック部から延出して前記外側馳締部片の外周面所要位置に当接する支点部と、この支点部より延出した操作腕部とを有した解体工具が示されている。この解体工具は、まず、フック部を前記外側馳締部片の端縁に係合させるとともに、前記支点部を前記外側馳締部片の外周面に当接させる。次に、この状態から前記支点部を中心に前記操作腕部を回動させて、少なくとも前記内側馳締部片が抜脱できる抜脱位置まで前記外側馳締部片をめくり上げる。次いで前記解体工具を移動させて前記同様に外側馳締部片を抜脱位置までめくり上げ、これを前記馳締部の長手方向に亘って繰り返し行なうことにより、馳締部を解体する。
【先行技術文献】
【特許文献】
【０００４】
【特許文献１】特開昭６０−１４４４４９号公報
【発明の概要】
【発明が解決しようとする課題】
【０００５】
図４に示した先行技術は、支点部を中心に操作腕部を回動させるときに、馳締部を倒す方向にも力が加わる。そのため、外側馳締部片をめくり上げるときに、馳締部が倒れてしまい、外側馳締部片をめくり上げる効果が得られないことが想定された。また、フック部の抜け方向に回動されるので、作業途中でフック部が外側馳締部片の端縁から外れてしまう可能性が高かった。
【課題を解決するための手段】
【０００６】
本願は、ハゼ嵌合折板のハゼ外し具である。このハゼ嵌合折板は、少なくとも１以上の谷部と左右の斜面とを有し、斜面には内側方向に略くの字形に突出した嵌合部が形成され、左右両端の斜面の上端は各々外側方向に略水平に延出して水平状部が形成され、水平状部の端部はそれぞれ上方に延出してハゼ部が形成されている。そして、隣り合うハゼ嵌合折板のハゼ部同士がハゼ締めされる構造になっている。ハゼ外し具は、把持部と、把持部に回動軸で組み合わされた外嵌部と、外嵌部よりも上の位置で把持部に組み合わされた爪部を有する。このハゼ外し具は、外嵌部が、左右一方の嵌合部から水平状部にかけて外嵌される。そして、爪部が、ハゼ部に係合される。その状態で、把持部が、回動軸を中心に回動される。このようにして、爪部によってハゼ締めが外される構造になっている。
【発明の効果】
【０００７】
本願は、外嵌部が支点となるので、把持部を回動させても、ハゼ部を倒す方向に力が加わることがない。そのため、ハゼ部が倒れてしまうことがなく、ハゼ締めを確実に外すことができる。また、把持部を回動させても、爪部はハゼ嵌合折板の水平状部を移動する動作となるので、ハゼ部から外れにくい。そのため、確実にハゼ締めを外すことができる。
【図面の簡単な説明】
【０００８】
【図１】本願のハゼ外し具の実施例を示す説明図である。
【図２】本願のハゼ外し具の使用実施例を示す説明図である。
【図３】本願のハゼ外し具の使用実施例を示す説明図である。
【図４】従来技術の説明図である。
【実施例】
【０００９】
本願のハゼ外し具について、図１から図３までにより説明する。図１は、ハゼ外し具の実施例を示す斜視図である。図２は、本願のハゼ外し具の使用実施例を示す説明図であり、ハゼ締めを外す前に、ハゼ部に爪部を挿し込んだ状態を示す。図３は、本願のハゼ外し具の使用実施例を示す説明図であり、把持部が、ハゼ締め側から遠くなる方向に向かって回動され、ハゼ締めが外された状態を示す。
【００１０】
本願において、ハゼ嵌合折板Ｙは、少なくとも１以上の谷部Ｙ１と左右の斜面Ｙ２・Ｙ２とを有する。１つの谷部Ｙ１と左右の斜面Ｙ２・Ｙ２が形成された形状のほか、複数の谷部・斜面・水平状部が連設された波形状であってもよい。
【００１１】
本願において、ハゼ嵌合折板Ｙの斜面Ｙ２には、内側方向に略くの字形に突出した嵌合部Ｙ２１が形成されている。この嵌合部Ｙ２１は、あらかじめ屋根上に固定されたハゼ嵌合折板取付金具の被嵌合部に嵌合される部分である。この嵌合部Ｙ２１は、１つの斜面Ｙ２において１つ以上形成されていればよく、たとえば２つ形成されていてもよい。
【００１２】
本願において、左右両端の斜面Ｙ２・Ｙ２の上端は各々外側方向に略水平に延出して水平状部Ｙ３・Ｙ３が形成され、水平状部Ｙ３・Ｙ３の端部はそれぞれ上方に延出してハゼ部Ｙ４・Ｙ４が形成されている。そして、隣り合うハゼ嵌合折板Ｙ・Ｙのハゼ部Ｙ４・Ｙ４同士が組み合わされて取り付けられる構造になっている。このハゼ部Ｙ４・Ｙ４同士は、ハゼ嵌合折板Ｙ・Ｙが取り付けられる際に、しっかりとハゼ締めされる。本願のハゼ外し具Ｇは、このハゼ締めを外すためのものである。
【００１３】
本願のハゼ外し具Ｇは、把持部Ｇ１を有する。１本のアーム部と、その上部にグリップ部が形成されている形状であってもよい。このほか、図１に示す実施例のように、把持部Ｇ１が、２本のアーム部Ｇ１１・Ｇ１１と、それらの上部を繋ぐグリップ部Ｇ１２とが形成されている形状でもよく、この形状の方が望ましい。この形状の場合、ハゼ締めを外す作業のとき、アーム部Ｇ１１・Ｇ１１を安定した状態で、所定方向に回動しやすくなり、作業性が高まる。さらに、グリップ部Ｇ１２より下の位置に、２本のアーム部Ｇ１１・Ｇ１１の間に補強部材Ｇ６が取り付けられていてもよい。この補強部材Ｇ６が取り付けられていることによって、２本のアーム部Ｇ１１・Ｇ１１に対してバランスよく力が加わる構造になるので、ハゼ外し具Ｇ自体の強度を高めることができる。
【００１４】
本願のハゼ外し具Ｇは、把持部Ｇ１に回動軸Ｇ４で組み合わされた外嵌部Ｇ２を有する。外嵌部Ｇ２は、ハゼ嵌合折板Ｙの左右一方の嵌合部Ｙ２１から水平状部Ｙ３にかけての部分に合わせた形状の開口が形成されている。この開口は、ハゼ嵌合折板Ｙの断面形状に合わせた切り欠き小口で形成されていてもよいが、そこに当接面板部材Ｇ２１を固定した構造とするのが望ましい。そうすることによって、開口がハゼ嵌合折板Ｙ表面に対して面で当接する構造になり、切り欠き小口で形成した構造に比べてハゼ嵌合折板Ｙ表面に傷がつきにくい。
【００１５】
本願のハゼ外し具Ｇは、外嵌部Ｇ２よりも上の位置で把持部Ｇ１に組み合わされた爪部Ｇ３を有する。爪部Ｇ３の先端が、ハゼ締めされたハゼ部Ｙ４に対して下から奥の方に挿し込むことができる断面フック形状になっている。本実施例では、爪部Ｇ３の根元側が把持部Ｇ１に第二回動軸Ｇ５によって組み合わされており、回動できるように組み合わせられている。このように、爪部Ｇ３が回動する構造によって、ハゼ締めされたハゼ部Ｙ４に対して下から奥の方に挿し込みやすくなる。
【００１６】
本願のハゼ外し具Ｇは、外嵌部Ｇ２がハゼ嵌合折板Ｙの左右一方の嵌合部Ｙ２１から水平状部Ｙ３にかけて外嵌され、把持部Ｇ１が回動されると、爪部Ｇ３がハゼ嵌合折板Ｙの水平状部Ｙ３上を移動する。本願のハゼ外し具Ｇの使用に当たっては、把持部Ｇ１をハゼ部Ｙ４側に対して近くなる方向に向かって回動させた状態で、外嵌部Ｇ２を左右一方の嵌合部から水平状部にかけて外嵌させ、爪部Ｇ３がハゼ部Ｙ４に係合させる。そして、把持部Ｇ１をハゼ部Ｙ４側に対して遠くなる方向に向かって回動させると、爪部Ｇ３がハゼ部Ｙ４側から離れるように移動して、ハゼ締めを外す。なお、把持部Ｇ１をハゼ部Ｙ４側に対して遠くなる方向に向かって回動させても、外嵌部Ｇ２はハゼ嵌合折板Ｙの嵌合部Ｙ２１から水平状部Ｙ３にかけて位置決めされた状態で回動しない。そのため、回動軸Ｇ４の位置が安定した状態で爪部Ｇ３を確実に機能させることができる構造になっているといえる。
【００１７】
本願のハゼ外し具Ｇによって、ハゼ嵌合折板Ｙ・Ｙ同士のハゼ締めを外すとき、ハゼの流れ方向に移動しながら上記の作業を繰り返す。このようにして、ハゼ嵌合折板Ｙの全長にわたってハゼ締めを外していく。
【符号の説明】
【００１８】
Ｇ        ハゼ外し具
Ｇ１      把持部
Ｇ１１    アーム部
Ｇ１２    グリップ部
Ｇ２      外嵌部
Ｇ２１    当接面板部材
Ｇ３      爪部
Ｇ４      回動軸
Ｇ５      第二回動軸
Ｇ６      補強部材
Ｙ        ハゼ嵌合折板
Ｙ１      谷部
Ｙ２      斜面
Ｙ２１    嵌合部
Ｙ３      水平状部
Ｙ４      ハゼ部
【図１】
2019011653.tif 000003
【図２】
2019011653.tif 000004
【図３】
2019011653.tif 000005
【図４】
2019011653.tif 000006